(57)【要約】  セルラ通信システムにおいて、カバレッジエリア構成遷移が実行される。補償サービスエリアは、補償サービスエリアと同様な周波数チャンネルを採用する省エネルギーセルの省エネルギーサービスエリアの少なくとも一部をカバーするように拡張される。省エネルギーセルを提供する省エネルギー通信局は、省エネルギーサービスエリアを無効化するように構成される。省エネルギーサービス内のＵＥのために、補償サービスエリアへのハンドオーバが準備される。省エネルギー通信局は、拡張通知を補償通信局に送り、該拡張通知は、該補償サービスエリアが拡張され得ることを少なくとも示す。補償サービスエリアの拡張及び省エネルギーサービスエリアの縮小の前に、省エネルギー通信局は、ＵＥ装置にハンドオーバコマンドを送信する。
2016518775.tif 000002
【特許請求の範囲】
【請求項１】
複数のユーザ機器（ＵＥ）装置の各ＵＥ装置を省エネルギー通信局から補償通信局にハンドオーバするように、ハンドオーバ手順のためのハンドオーバパラメータを設定し、前記省エネルギー通信局は、省エネルギーサービスエリア内で前記ＵＥ装置に無線サービスを提供し、前記補償通信局は、補償サービスエリア内で無線サービスを提供し、
拡張通知を前記省エネルギー通信局から前記補償通信局に送信し、前記拡張通知は、前記補償サービスエリアの拡張が開始し得ることを前記補償通信局に少なくとも示し、
前記複数のＵＥ装置のために前記ハンドオーバパラメータが既に設定された後に、かつ、前記拡張通知が既に前記補償通信局に送信された後に、ハンドオーバコマンドを前記ＵＥ装置に送信し、
前記省エネルギーサービスエリアを収縮し、
前記補償サービスエリアが前記省エネルギーサービスエリアの地理的領域と少なくとも部分的に重複するように、前記補償サービスエリアを拡張する、方法。
【請求項２】
前記省エネルギーサービスエリアを収縮することは、前記補償通信局の補償セルによって使用される周波数チャンネルを使用する省エネルギーセルを無効化するように、前記省エネルギー通信局を構成することを含み、これによって、前記省エネルギー通信局が、前記省エネルギーセルの前記省エネルギーサービスエリア内で無線通信サービスを提供しない、請求項１の方法。
【請求項３】
前記補償サービスエリアを拡張することは、前記補償サービスエリアが前記省エネルギーサービスエリアの地理的領域と重複するように、前記補償サービスエリアを拡張することを含む、請求項２の方法。
【請求項４】
前記ハンドオーバパラメータを設定することは、前記複数のユーザ機器（ＵＥ）装置の各ＵＥ装置を複数の省エネルギー通信局から前記補償通信局にハンドオーバするように、ハンドオーバパラメータを設定することを含み、前記省エネルギー通信局は、省エネルギーサービスエリア内で前記ＵＥ装置に無線サービスを提供し、
前記省エネルギーサービスエリアを収縮することは、各省エネルギーサービスエリアを無効化することを含み、
前記拡張することは、前記補償サービスエリアが前記複数の省エネルギーサービスエリアの地理的領域と重複するように、前記補償サービスエリアを拡張することを含む、請求項２の方法。
【請求項５】
セル状態変更要求メッセージを前記省エネルギー通信局から前記補償通信局に送信し、前記セル状態変更要求メッセージは、前記補償通信局が拡張されることを要求する、請求項２の方法。
【請求項６】
セル状態変更応答メッセージを前記補償通信局から前記省エネルギー通信局に送信し、前記セル状態変更応答メッセージは、前記セル状態変更要求メッセージの要求が承諾されるか否かを示す、請求項５の方法。
【請求項７】
セル状態変更更新メッセージを前記省エネルギー通信局から前記補償通信局に送信し、前記セル状態変更更新メッセージは、前記拡張通知を含む、請求項２の方法。
【請求項８】
前記拡張通知は、前記補償通信局が前記補償サービスエリアを拡張することを開始できる時刻を示すタイミング情報を含む、請求項７の方法。
【請求項９】
前記補償通信局と前記省エネルギー通信局とを有するネットワークとの接続性を失わずに前記ＵＥ装置が前記補償セルの補償サービスエリアチャンネルと同期するために、前記補償サービスエリアが時間内に拡張されるように前記タイミング情報が選択される、請求項２の方法。
【請求項１０】
省エネルギーサービスエリアを提供する省エネルギー通信局と、
バックホールを介して前記省エネルギー通信局に接続され、補償サービスエリアを提供する補償通信局と、
を有するセルラ通信システムであって、
前記システムは、
複数のユーザ機器（ＵＥ）装置の各ＵＥ装置を省エネルギー通信局から補償通信局にハンドオーバするように、ハンドオーバ手順のためのハンドオーバパラメータを設定し、前記省エネルギー通信局は、省エネルギーサービスエリア内で前記ＵＥ装置に無線サービスを提供し、前記補償通信局は、補償サービスエリア内で無線サービスを提供し、
拡張通知を前記省エネルギー通信局から前記補償通信局に送信し、前記拡張通知は、前記補償サービスエリアが拡張され得ることを前記補償通信局に示し、
前記複数のＵＥ装置のために前記ハンドオーバパラメータが既に設定された後に、かつ、前記拡張通知が既に前記補償通信局に送信された後に、ハンドオーバコマンドを前記ＵＥ装置に送信し、
前記省エネルギーサービスエリアを収縮し、
前記補償サービスエリアが前記省エネルギーサービスエリアの地理的領域と少なくとも部分的に重複するように、前記補償サービスエリアを拡張する
ように構成される、セルラ通信システム。
【請求項１１】
前記システムは、前記補償通信局の補償セルによって使用される周波数チャンネルを使用する省エネルギーセルを無効化するように、前記省エネルギー通信局を構成するように構成され、これによって、前記省エネルギー通信局が、前記省エネルギーセルの前記省エネルギーサービスエリア内で無線通信サービスを提供しない、請求項１０のシステム。
【請求項１２】
前記システムは、前記補償サービスエリアが前記省エネルギーサービスエリアの地理的領域と重複するように、前記補償サービスエリアを拡張するように構成される、請求項１１のシステム。
【請求項１３】
前記システムは、複数の省エネルギーサービスエリアを有し、各省エネルギーサービスエリアが前記複数のＵＥ装置の少なくとも１つのＵＥ装置に無線サービスを提供し、
前記システムは、各省エネルギーサービスエリアを無効化し、前記補償サービスエリアが前記複数の省エネルギーサービスエリアの地理的領域と重複するように、前記補償サービスエリアを拡張するように構成される、請求項１１のシステム。
【請求項１４】
前記システムは、セル状態変更要求メッセージを前記省エネルギー通信局から前記補償通信局に送信するようにさらに構成され、前記セル状態変更要求メッセージは、前記補償通信局が拡張されることを要求する、請求項１１のシステム。
【請求項１５】
前記システムは、セル状態変更応答メッセージを前記補償通信局から前記省エネルギー通信局に送信するようにさらに構成され、前記セル状態変更応答メッセージは、前記セル状態変更要求メッセージの要求が承諾されるか否かを示す、請求項１４のシステム。
【請求項１６】
前記システムは、セル状態変更更新メッセージを前記省エネルギー通信局から前記補償通信局に送信するようにさらに構成され、前記セル状態変更更新メッセージは、前記拡張通知を含む、請求項１１のシステム。
【請求項１７】
前記拡張通知は、前記補償通信局が、前記補償サービスエリアを拡張することを開始できる時刻を示すタイミング情報を含む、請求項１６のシステム。
【請求項１８】
前記ハンドオーバタイミング情報は、前記ＵＥハンドオーバコマンドが前記ＵＥ装置に送信されようとする時刻を含む、請求項１１のシステム。
【請求項１９】
前記システムは、Ｔｈｉｒｄ−Ｇｅｎｅｒａｔｉｏｎ  Ｐａｒｔｎｅｒｓｈｉｐ  Ｐｒｏｊｅｃｔ  Ｌｏｎｇ−Ｔｅｒｍ  Ｅｖｏｌｕｔｉｏｎ  （３ＧＰＰ  ＬＴＥ）通信規格に従って動作する、請求項１１のシステム。
【請求項２０】
省エネルギーサービスエリア内で省エネルギーセルを提供する省エネルギー通信局と、
バックホールを介して前記省エネルギー通信局に接続され、補償サービスエリア内で補償セルを提供する補償通信局であって、前記省エネルギーセル及び前記補償セルが少なくとも１つの共通チャンネル周波数を使用して無線サービスを提供する、補償通信局と、を有するセルラ通信システムであって、
前記システムは、
省エネルギー通信局から補償通信局に、複数のユーザ機器（ＵＥ）装置の各ＵＥ装置のためのハンドオーバ準備手順を実行し、前記複数のＵＥ装置は、前記省エネルギーセルから無線サービスを受信し、
拡張通知を前記省エネルギー通信局から前記補償通信局に送信し、前記拡張通知は、前記補償サービスエリアが拡張され得る時刻を前記補償通信局に示し、
前記ハンドオーバ準備手順が前記複数のＵＥ装置のために完了した後に、かつ、前記拡張通知が既に前記補償通信局に送信された後に、ハンドオーバコマンドを前記ＵＥ装置に送信し、
前記省エネルギー通信局が前記省エネルギーセルの前記省エネルギーサービスエリアにおける無線通信サービスを提供しないように、前記省エネルギーサービスエリアを無効化するように前記省エネルギー通信局を構成し、
前記補償サービスエリアが前記省エネルギーサービスエリアと重複するように前記補償セルを拡張する
ように構成される、セルラ通信システム。
【発明の詳細な説明】
【優先権】
【０００１】
本出願は、本出願の譲受人へ譲渡された仮出願番号：６１／８０９，１７７、発明の名称：「動的な無線カバレッジエリア遷移を制御する方法（Ｍｅｔｈｏｄｓ  ｆｏｒ  Ｃｏｎｔｒｏｌｌｉｎｇ  Ｄｙｎａｍｉｃ  Ｒａｄｉｏ  Ｃｏｖｅｒａｇｅ  Ａｒｅａ  Ｔｒａｎｓｉｔｉｏｎｓ）」（出願日：２０１３年４月５日）、及び仮出願番号：６１／８２２，２０３、発明の名称：「セルカバレッジエリア構成の間の遷移を管理する方法（Ｍｅｔｈｏｄｓ  ｆｏｒ  Ｍａｎａｇｉｎｇ  Ｔｒａｎｓｉｔｉｏｎ  Ｂｅｔｗｅｅｎ  Ｃｅｌｌ  Ｃｏｖｅｒａｇｅ  Ｃｏｎｆｉｇｕｒａｔｉｏｎｓ）」（出願日：２０１３年５月１０日）の優先権を主張し、その全体が参照により明示的に組み込まれている。
【技術分野】
【０００２】
本発明は、概して、無線通信に関し、より具体的には、動的な無線カバレッジエリア遷移を管理するための方法、システム及び装置に関する。
【背景技術】
【０００３】
多くの無線通信システムは、地理的サービスエリア内でサービスを提供するために送受信局または無線ヘッドを採用する。そのサービスエリアの境界は、関連する送受信局の無線カバレッジによって決定される。各サービスエリアにおいて、無線サービスは、周波数キャリア（ｃａｒｒｉｅｒｓ）上でユーザ機器（ＵＥ）装置に提供される。キャリアは、関連する無線技術標準によって仕様化される、物理チャンネルを搬送する変調波形である。これらのサービスエリアは、しばしば「セル」と称される。用語「セル」は、複数の上りリンクと下りリンクリソース（例えば、キャリアに使用される上りリンクと下りリンクペア）が使用される地理的サービスエリアを指すこともあるが、次第に、用語「セル」は、ＵＥ装置と通信するための単一の上りリンクリソースと下りリンクリソースが使用される地理的サービスエリアを指すために使用される。例えば、時分割複信（ＴＤＤ）が使用される場合、単一の周波数が異なる時間で「セル」内の上りリンクと下りリンクのために使用され得る。周波数分割複信（ＦＤＤ）が使用される場合、単一の上りリンク／下りリンク周波数ペア（１つの上りリンク周波数及び１つの下りリンク周波数）が「セル」内に使用され得る。本明細書で説明するように、１つ以上のリソース（キャリアペア）が、サービスエリア内で使用され得る。結果として、サービスエリアは、１つのセルであってもよいし、複数のセルを含んでいてもよい。１つの共通の構成では、各サービスエリアは、いくつかの他のサービスエリアに隣接して、広い地理的エリアにわたる広範なカバレッジを提供する。隣接するサービスエリアは、わずかに重複し得るが、本明細書で説明する実施形態では、サービスエリアは、同じ地理的エリア内でサービスを提供していない。多くの状況では、サービスエリアの構成を動的に変更することは有利であり得る。この動的な変更は、例えば、選択的に一部のサービスエリアのサイズを縮小させながら、以前にその縮小されたサービスエリアによってサービス提供されたエリア内でサービスを提供するように、１つ以上の他のサービスエリアのサイズを拡張することによって行われる。このような動的なサービスエリアの構成の変更によって、システムがより一層効率的に動作し得る。例えば、ごく少数のＵＥ装置のみを持つサービスエリアを、それと関連する送受信機を無効化することによって、ゼロまで縮小させ、その縮小したサービスエリアに含まれたＵＥ装置に無線カバレッジを提供するように、隣接サービスエリアを拡張し得る。その隣接サービスエリアは、いくつかのＵＥにサービスを提供しながらも、利用可能なキャパシティを有する。ここで、縮小したサービスエリアは、その関連する送受信機に消耗されるエネルギーが縮小するので、省エネルギーサービスエリアと称し得る。ゼロまで縮小した、又は消滅したサービスエリアは、無効サービスエリアと称し得る。縮小したサービスエリアと協働して拡張されるサービスエリアは、補償サービスエリアと称し得る。省エネルギーサービスエリアによってサービス提供されるＵＥ装置を、そのサービスエリアが無効化される前に、他のサービスエリアにハンドオーバしない場合、そのＵＥ装置はネットワークとの接続を失う虞がある。省エネルギーサービスエリアと補償サービスエリアが同じ周波数リソースで動作している場合で、省エネルギーサービスエリアによってサービス提供されているＵＥ装置を、補償サービスエリアが拡張される前に、他のサービスエリアにハンドオーバさせない場合、省エネルギーサービスエリアと補償サービスエリアとの間の干渉に起因して、そのＵＥ装置はネットワークとの接続を失う虞がある。以下に説明するように、動的なカバレッジエリア構成遷移を制御するために、管理技術が必要とされる。
【発明の概要】
【０００４】
セルラ通信システムにおいて、カバレッジエリア構成遷移が実行される。補償サービスエリアは、補償サービスエリアと同様な周波数チャンネルを採用する省エネルギーセルの省エネルギーサービスエリアの少なくとも一部をカバーするように拡張される。省エネルギーセルを提供する省エネルギー通信局は、拡張した補償サービスエリアが縮小した省エネルギーサービスエリアと重複しないように、省エネルギーサービスエリアを縮小させるように構成される。省エネルギーサービスエリア内のＵＥ装置のための、補償サービスエリアへのハンドオーバが準備される。省エネルギー通信局は、拡張通知を、補償サービスエリアを提供する補償通信局に送る。該通知は、補償サービスエリアが拡張され得ることを少なくとも示し、補償サービスエリアの拡張の適切なタイミングを示してもよい。補償サービスエリアの拡張及び省エネルギーサービスエリアの縮小の前に、省エネルギー通信局は、ハンドオーバコマンドをＵＥ装置に送信する。干渉が回避され、ＵＥ装置がシステムとの接続を失わないように、カバレッジエリア遷移のステージのタイミングが設定される。
【図面の簡単な説明】
【０００５】
図１は、セルラ通信システムにおけるカバレッジエリアを示す図である。
【０００６】
図２は、省エネルギーサービスエリア（ＥＳ  ＳＡ）が無効化され、補償サービスエリア（補償ＳＡ）が省エネルギーサービスエリアの地理的領域内で無線サービスを提供するように拡張されるカバレッジエリア遷移を示す図である。
【０００７】
図３は、補償サービスエリアが１つ以上の省エネルギーサービスエリアをカバーするように拡張されるカバレッジ遷移を示す図である。
【０００８】
図４は、補償通信局と、省エネルギー通信局と、ＵＥ装置との間のメッセージフローを示す図である。
【発明を実施するための形態】
【０００９】
セルラ通信システムにおいて、カバレッジエリア遷移が実行される。補償サービスエリアは、省エネルギーセルの省エネルギーサービスエリアをカバーするように拡張され、省エネルギーサービスエリアは無効化され、両方のサービスエリアは同一の周波数チャンネルで動作している。省エネルギーサービスエリア内におけるＵＥ装置と拡張した補償サービスエリアとの間の干渉は次のような手順によって回避される。まず、省エネルギー通信局は、補償サービスエリアへの全てのＵＥ装置のハンドオーバのために、補償サービスエリアを準備し、その後、省エネルギー通信局は、指定された時間で補償通信局が補償サービスを拡張することを開始できることを補償通信局に通知し、その後、省エネルギー通信局は、ハンドオーバメッセージを全てのＵＥ装置に送り、その後、省エネルギーサービスエリアがオフに切り替えられる。その動作のタイミングは、ＵＥ装置が省エネルギーサービスエリアチャンネルを受信することを停止して補償サービスエリアチャンネルをサーチすることを開始するまでは省エネルギーサービスエリアが無効化されず、かつ、ＵＥ装置がネットワークとの接続を失わずに補償サービスエリアとの同期を行うように補償サービスエリアが時間に遅れずに拡張されるようなタイミングである。本明細書の実施形態によれば、ＵＥ装置の全てがほぼ同時に省エネルギーサービスエリアを離れるようにＵＥ装置のハンドオーバが遅延される。より長い期間にわたって発生するＵＥ装置のハンドオーバに比べ、該ハンドオーバは、ＵＥ装置がネットワークとの接続を維持できるように、サービスエリアの無効化及び拡張のタイミングを容易にする。
【００１０】
図１は、遅延ハンドオーバを使用してカバレッジエリア遷移を管理するセルラ通信システム１００におけるカバレッジを示す図である。図１の例では、省エネルギー通信局は、省エネルギーセルの円形エリアによって表される地理的サービスエリア内で無線サービスを提供し、補償通信局は、補償セルの円形エリアによって表される地理的サービスエリア内で無線サービスを提供する。セルラ通信システム１００の一般的な実施様態において、隣接するいくつかのセルは広いエリアをカバーする。ただし、簡潔さ及び明瞭さのために、図１は、２つセル１０４、１０８のみを示す。セルのサービスエリアを表す円形は、セル間の関係を概略的に図示し、必ずしもサービスエリアの実際の形状を示していない。図１を参照して説明するカバレッジエリア構成遷移管理技術は、多数のカバレッジエリア構成遷移のシナリオに適用し得る。例えば、本明細書で説明する技術に従っていくつかの省エネルギーセルは無効化されてもよく、補償セルは複数の省エネルギーセルの地理的サービスエリアをカバーするように拡張されてもよい。セルは、いくつかの形状及びサイズの何れかを有し得る。
【００１１】
通信局１０８、１１２は、無線信号を送信及び受信してセル１０４、１０６を提供する。各通信局１０８、１１２は、アクセスノード、アクセスポイント、ｅＮｏｂｅＢ、ｅＮＢ、基地局及び他の用語と称され得る。各通信局１０８、１１２は、送受信機と局コントローラとを含む。いくつかの状況において、局コントローラは、無線ヘッドと物理的に分離しているが、一般的に、送受信機又は無線ヘッドは、局コントローラと連結している。無線ヘッドは、無線信号を送信及び受信するために、アンテナ、送信機、及び受信機のような無線周波数（ＲＦ）送受信機器を少なくとも含む。一般的に、無線ヘッドは、関連する局コントローラによって実行されるより高いレベルの処理及び制御機能を含まない。図１の図示では、無線ヘッドが局コントローラに近く、無線ヘッドと該コントローラの両方は単一の装置内に実装され得る。セルの位置、形状、及び広さは、少なくとも部分的に、通信局との無線送受信によって決定されるため、セルの位置は無線ヘッドの位置及び動作によって決定される。補償通信局１０８は補償セル１０４を提供し、省エネルギー通信局１１２は省エネルギーセル１０６を提供する。各通信局１０８、１１２は、従って、該セルにおける無線通信ユーザ機器装置（ＵＥ装置）１１４、１１６、１１８に無線通信サービスを提供する。各セルは地理的サービスエリアをカバーする。通信局は一般的にいくつかのセルを提供するが、簡潔さ及び明瞭さのために、通信局１０８と１１２は１つのセルを提供する。本明細書で説明するように、通信局は、局コントローラのような機器と、１つのセルを提供する無線ヘッドとを含む。従って、通信局は、セルのサービスエリアのサイズ及び形状を設定するように調整又は構成され得る。一般的に、いくつかの通信局は、広いエリアをカバーするために複数のサービスエリアを提供するように、バックホール（図示されず）を介してネットワークコントローラ（図示されず）と相互接続される。バックホールは、有線、光、及び／または無線の通信チャンネルの任意の組み合わせを含み得る。本明細書の例では、ネットワークコントローラは、モビリティ管理エンティティ（ＭＭＥ）とパケットゲートウェイ（Ｐ−ＧＷ）の機能を含む。
【００１２】
一般的に、セルラ通信システムは、通信規格または仕様に準拠する必要がある。通信仕様は、上りリンク及び下りリンク伝送のためのデータチャンネル及び制御チャネルを少なくとも定義し、基地局から無線通信装置までの物理下りリンク制御チャネルのための一部のタイミング及び周波数のパラメータを少なくとも規定する。Ｔｈｉｒｄ−Ｇｅｎｅｒａｔｉｏｎ  Ｐａｒｔｎｅｒｓｈｉｐ  Ｐｒｏｊｅｃｔ  Ｌｏｎｇ−Ｔｅｒｍ  Ｅｖｏｌｕｔｉｏｎ  （３ＧＰＰ  ＬＴＥ）通信仕様は、通信局（ｅＮｏｄｅＢ）が、下りリンク上で直交周波数分割多重（ＯＦＤＭ）を使用し、上りリンク上でシングルキャリア周波数分割多元接続（ＳＣ−ＦＤＭＡ）を使用して無線通信装置（ＵＥ装置）にサービスを提供するシステムのための仕様である。本明細書で記述する技術は、他のタイプの通信システムに適用されてもよいが、本明細書で説明する例示的なシステムは、３ＧＰＰ  ＬＴＥ通信規格に従って動作する。
【００１３】
そこで、本明細書の例では、補償通信局１０８は、３ＧＰＰ  ＬＴＥに従って補償セル１０２内で１つ以上のＵＥ装置１１４に下りリンク信号１２０を送信すること及び３ＧＰＰ  ＬＴＥに従って補償セル内で１つ以上のＵＥ装置１１４からの上りリンク信号１２２を受信することを行う無線送受信機を含む。省エネルギー通信局１１２は、３ＧＰＰ  ＬＴＥに従って省エネルギーセル１０６内で１つ以上のＵＥ装置１１６、１１８に下りリンク信号１２６と１３０を送信すること及び省エネルギーセル１０６内で１つ以上のＵＥ装置１１６、１１８からの上りリンク信号１２４、１２８を受信することを行う無線送受信機を含む。
【００１４】
ＵＥ装置１１４、１１６、１１８は、移動装置、無線装置、無線通信装置、移動無線装置、及びＵＥ、並びに他の用語として称され得る。無線通信装置は、通信局（ｅＮＢ）と通信し、一部の状況では他のＵＥ装置を含む他の装置と通信するために、電子機器及びコードを含む。ＵＥ装置は、スマートフォン、携帯電話、パーソナルデジタルアシスタント（ＰＤＡ）、無線モデムカード、無線モデム、無線通信電子機器を持つテレビ、及びラップトップとデスクトップコンピュータのような装置、並びに他の装置を含む。従って、電子装置と無線通信電子機器との組み合わせは無線通信装置を形成し得る。例えば、無線通信装置は、機器、コンピュータ、又はテレビに接続された無線モデムを含み得る。
【００１５】
補償通信局１０８は、省エネルギー通信局が省エネルギーセル１０６を提供するために使用する周波数チャンネルと同様な周波数チャンネルを使用して、補償セル１０４を提供する。図１の例では、同一のセットの下りリンク／上りリンク周波数チャンネルペアは、補償セル１０４及び省エネルギーセル１０６に割り当てられる。図１に示されるセル構成において、セルのサービスエリアが重複しないので、補償セルにおける通信は、省エネルギーセル１０６内における通信と干渉しない。以下に説明するように、補償セルのサービスエリアが拡張される場合に、いくつかの方法で管理されなければ、省エネルギーセルによってサービスが提供されるＵＥ装置と干渉するようになる。本明細書の実施形態では、干渉を回避又は少なくとも最小化するために、補償カバレッジエリア遷移は管理される。まず、省エネルギー通信局は、自身のＵＥ装置のハンドオーバのために、補償通信局を準備し、その後、省エネルギー通信局は、補償通信局に通知を送り、ＵＥ装置にハンドオーバコマンドを送り、その後、省エネルギー通信局は、省エネルギーセルをオフに切り替える。
【００１６】
図２は、省エネルギーサービスエリア（ＥＳ  ＳＡ）１０６が無効化され、補償サービスエリア（補償ＳＡ）１０４が省エネルギーサービスエリア１０６の地理的領域内で無線サービスを提供するように拡張されるカバレッジエリア遷移を示す図である。図２の例において、図１のシステム内のカバレッジエリア構成遷移は、５つのステージを経て進行する。明瞭さ及び簡潔さのために、該例において、２つのＵＥ装置１１６、１１８が示される。
【００１７】
第１ステージ２０２において、ＵＥ装置１１６、１１８は、無線通信リンク２０４、２０６上で省エネルギーサービスエリア１０６の通信局１１２と通信している。本例では、ＵＥ装置１１６、１１８は、カバレッジ遷移の前に、少なくとも制御信号を受信しており、さらに、制御信号の送信、通信局１１２とデータの送受信をしていてもよい。省エネルギーサービスエリア１０６が無効化されるべき、補償サービスエリア１０４が拡張されるべきと決定することに応じて、カバレッジ遷移が開始され得る。そのような決定は、いくつかの要因及び状況の何れかに基づくものである。その一例は、省ルギーサービスエリア、補償サービスエリア及びカバレッジサービスエリアのリソース負荷を含む。サービスエリアのリソース負荷は、サービスエリア内における全てのＵＥ装置１１６，１１８によって使用されている時間と周波数のリソースの量に基づくものである。省エネルギーサービスエリア１０６を無効化するか否かは、補償サービスエリアが、ＥＳサービスエリア内でＵＥ装置１１６，１１８にサービスを提供するための利用可能なリソースキャパシティを有するか否かに基づいて決定される。別の例では、省エネルギーサービスエリアを無効化するか否かは、その時において省エネサービスエリア１０６がなくてもトラフィック負荷の扱いができるとオペレータが決定した特定の時間、日、月、等に基づいて決定しもよい。省エネルギーサービスエリアが無効化されるべきと決定することに応じて、カバレッジ遷移が開始される。
【００１８】
カバレッジ遷移が開始されると、省エネルギー通信局１１２は、補償通信局と一緒に、現在省エネルギー通信局１１２から無線サービスを受信している全てのＵＥ装置１１６、１１８のためのハンドオーバ手順を開始する。
【００１９】
第２ステージ２０８において、自身のサービング局（サービングｅＮＢ）として省エネルギー通信局１１２を有する各ＵＥ装置１１６，１１８に対して、省エネルギー通信局１１２は、補償通信局１０８との間のハンドオーバ通信を開始する。該通信は、ＬＴＥに使用されるハンドオーバ準備手順のような既知の技術及び標準に従う。通信局は、ＬＴＥ  ハンドオーバ準備手順を使用してＵＥ装置のハンドオーバを受け入れるように他の通信局を要求し、ＵＥ装置の現在の動作情報を提供する。該情報は、ＵＥ装置伝送必要条件（アクティブ無線ベアラに関する情報）、ＵＥコンテキスト情報（コアネットワークとの関連付け）等を含む。これは、ＵＥ装置が同じサービスを受信し続けることを確保するのに必要な情報を補償通信局に提供する。また、ハンドオーバが失敗する場合に、ネットワークから該情報を引き出す必要がないので、ＵＥ装置情報は、ＵＥ装置が補償通信局を介してネットワークとの接続をより速やかに再設定することを可能にする。ハンドオーバ準備手順の一部として、補償通信局は、ＵＥ装置が補償セル内において動作するために必要な情報を省エネルギー通信局に提供する。現在のハンドオーバ基準が満たされた場合に、ＵＥ装置は、補償セルにハンドオーバされることの代わりに、隣接する隣接セル（図２に示されない）にハンドオーバされてもよい。
【００２０】
全てのＵＥ装置のためのハンドオーバ準備手順が完了した後、カバレッジ遷移手順は、第３ステージ２１０に進む。第３ステージ２１０において、省エネルギー通信局は、ハンドオーバ手順が完了し、補償通信局が補償サービスエリアを拡張するために準備し得ることを示すシグナリング通知（拡張通知）を補償通信局に送る。該通知は、補償サービスエリアの拡張を開始するためのタイミング情報を含んでもよい。該タイミング情報は、省エネルギー通信局が全てのＵＥ装置にハンドオーバコマンドを送り、その後省エネルギーセルをオフに切り替えるために必要な時間の量に基づくものである。代替的に、該タイミング情報は、ＯＡＭによって提供されてもよい。全てのハンドオーバコマンドが送られた後に補償通信局にシグナリング通知を送ることは、より多くの遅延を引き起こし、補償セルがＵＥ装置に対してカバレッジを提供するタイミングに影響を与える可能性がある。第３ステージ２１０において、省エネルギー通信局は、ハンドオーバコマンド２１４，２１６をＵＥ装置に送り、ハンドオーバコマンドは、補償セルを取得する及び補償セル内において動作するためのパラメータを含み、該パラメータは、補償通信局から受信する。
【００２１】
ＵＥハンドオーバコマンドは、既知の技術に従ってＵＥ装置に送信される。本発明によれば、全てのＵＥ装置へのハンドオーバコマンドは時間的に近いように送信される。補償セルを取得しようとする最初のＵＥ装置と最後のＵＥ装置との間の時間の長さを短くする必要がある。省エネルギーセルが全てのハンドオーバコマンドを送った前に、省エネルギーセルはオフに切り替え得ない。省エネルギーセルがオフに切り替えられた前に、補償セルが拡張し得ない。ハンドオーバコマンドが多くの時間に広がっている場合、省エネルギー通信局が最後のハンドオーバコマンドを送ると、ハンドオーバコマンドを受信する最初のＵＥ装置は、補償セルを待ち受けるネットワーク接続を失う虞がある。
【００２２】
遷移手順の第４ステージ２１８において、省エネルギーサービス１０６が無効化される。省エネルギーサービスエリア１０６を表す円形状は、該セルが既に有効でなくなることを示すために、破線に示される。その結果、省エネルギー通信局（ｅＮＢ）１１２は、該省エネルギーサービスエリアにおける無線サービスを、無線信号を送信又は受信することによって提供しない。本明細書の例では、省エネルギー通信局１１２は、オフにされ、電力を少しだけ消費する、又は、消費しない。
【００２３】
遷移手順の第５ステージ２２０において、補償サービスエリア１０４は、以前に省エネルギーサービスエリアによってサービスが提供された地理的エリアの少なくとも一部をカバーするまで拡張され、ＵＥ装置は、ハンドオーバ手順を完了する。補償通信局１０８は、省エネルギー通信局１１２から受信するタイミング情報２１２を適用して補償セルの拡張を開始する時刻を決定する。図２の例において、補償サービスエリア１０４は、以前に省エネルギーサービスエリア１０６によってサービスが提供された地理的エリアの全体をカバーするように拡張される。サービスエリア１０４は、送信電力の増加、アンテナチルティング、アンテナビームフォーミング技術のような既知の技術を使用して拡張され得る。従って、ＵＥ装置１１６、１１８は、ハンドオーバコマンド２１４、２１６に応じて、サービング局ｅＮＢとして補償通信局を取得する。従って、ハンドオーバ手順を完了するために十分なタイミングで、省エネルギーサービスエリアは無効化され、補償サービスエリアは拡張される。補償サービスエリア信号のＵＥ測定結果に基づくものではない点において、該例におけるハンドオーバ手順は従来の技術と異なる。その理由としては、補償サービスエリアが完全に拡張されるまで、これらの信号は適切な電力レベルを有しないからである。
【００２４】
図３は、補償サービスエリアが１つ以上の省エネルギーサービスエリアをカバーするように拡張されるカバレッジエリア遷移の図３００、３０１を含む。サービスエリアを表す円形状は、概略的にサービスエリア間の関係を図示し、必ずしもサービスエリアの実際の形状を示していない。更に、サービスエリアは、一部の領域において、他の領域より多く重複し得る。本図面における円形状のサービスエリア間に示される開放エリアは、必ずしも該エリアにおける利用可能なサービスがないことを示しておらず、簡単な形状でサービスエリア間のより複雑な関係を表すことによる結果のみである。更に、該サービスエリアは、サービスが利用できないカバレッジのホールを含み得る。明瞭さ及び簡潔さのために、その特徴は本図面に示されない。
【００２５】
図３の例では、遷移サービスエリア１０２は、補償サービスエリア１０４及び３つの省エネルギーサービスエリア１０６、３０２、３０４を含むいくつかのより小さいサービスエリア１０４、１０６、３０２、３０４、３０８、３０８、３１０の地理的エリアをカバーする。補償エリアが拡張される前の状態３００において、省エネルギーサービスエリア１０６、３０２、３０４は、補償サービスエリア１０４に隣接するカバレッジエリアを有する。補償サービスエリアが拡張された後の状態３０１において、補償サービスエリア１０４は、補償サービスエリア１０４の初期カバレッジエリア及び省エネルギーサービスエリア１０６、３０２、３０４のカバレッジエリアの少なくとも一部を含むカバレッジエリアを有する。拡張した補償サービスエリア３１２は、従って、より広いカバレッジエリアを持つ補償サービスエリア１０４である。カバレッジ状態３０１において、サービスエリアが無効化されたことを図示すために、省エネルギーサービスエリアは破線で示される。複数の省エネルギーサービスエリアのカバレッジエリア遷移手順は、上述した単一省エネルギーサービスエリアの遷移手順と同様である。一例において、補償サービスエリアは、逐次的に省エネルギーサービスエリアをカバーするように拡張する。言い換えれば、補償サービスエリアは、第２省エネルギーサービスエリアの前に第１省エネルギーエリアをカバーするように拡張される。この例において、第１省エネルギーサービスエリア内における全てのＵＥ装置は、遷移サービスエリアに移され、補償サービスエリアは、第１省エネルギーサービスエリアをカバーするように拡張され、該ＵＥ装置は、次の省エネルギーサービスエリアの手順が行われる前に、補償サービスエリアに移される。しかしながら、以下に説明する例において、１つのカバレッジエリア遷移手順において、補償サービスエリアは、複数の省エネルギーサービスエリアをカバーするように拡張される。この例において、全ての省エネルギーサービスエリアからの全てのＵＥ装置は、遷移サービスエリアにハンドオーバされ、補償サービスエリアは拡張され、全てのＵＥ装置は、補償サービスエリアへのハンドオーバを完了する。一部の状況において、一部のＵＥ装置は、遷移サービスエリアの代わりに、隣接の小さいサービスエリア（３０８、３１０）に移されてもよい。
【００２６】
図４は、補償通信局１０８と、省エネルギー通信局１１２と、ＵＥ装置１１６、１１８との間のメッセージフローを示す図である。本例では、通信局は、ＬＴＥ通信標準に従うＸ２リンク上のバックホールを介して通信するｅＮＢである。一部の状況において、他の通信技術も使用され得る。
【００２７】
図４に示す例では、省エネルギーサービスエリアが無効化されるべきと決定することに応じて、省エネルギー通信局（ＥＳ  ｅＮＢ）１１２は、セル状態変更要求メッセージ４０２を補償通信局（補償セルｅＮＢ）１０８に送信する。セル状態変更要求メッセージ４０２は、補償通信局１０８に、省エネルギー通信局が自身のステータスを有効から無効に変更することを要求していることを少なくとも示す。他の手順に提供されない限り、該メッセージは、省エネルギーサービスエリアの現在の負荷情報を更に含み得る。該メッセージを使用して、補償サービスエリアは、自身が省エネルギーサービスエリア内でＵＥ装置にサービスを提供するための利用可能なキャパシティを有するか否かを決定する。一例において、セル状態変更要求は、標準仕様に追加された該特徴のための専用手順の一部である。他の状況において、セル状態変更要求メッセージ４０２の機能は、ＬＴＥ通信標準に含まれるＬｏａｄ  Ｍａｎａｇｅｍｅｎｔ、又は、ｅＮＢ  Ｃｏｎｆｉｇｕｒａｔｉｏｎ  Ｕｐｄａｔｅ手順等のような、現在に通信標準によって定義されるメッセージング構造及び手順に組み込まれ得る。何れの場合でも、ＬＴＥ通信標準の修正は、該手順を容易にし得る。
【００２８】
セル状態変更要求メッセージ４０２に応じて、補償通信局１０８は、自身が省エネルギーサービスエリアにサービスを拡張できるか否かを決定する。できない場合に、補償通信局１０８は、補償サービスエリアが拡張されるようにならないことを示すセル状態変更応答メッセージ４０４で応答する。それ以外の場合に、図４の例に示すように、補償通信局１０８は、補償サービスエリアが拡張されるようになることを示すセル状態変更応答メッセージ４０４で応答する。一例において、セル状態変更要求は、標準仕様に追加された該特徴のための専用手順の一部である。他の状況において、セル状態変更要求メッセージ４０４の機能は、ＬＴＥ通信標準に含まれるＬｏａｄ  Ｍａｎａｇｅｍｅｎｔ、又は、ｅＮＢ  Ｃｏｎｆｉｇｕｒａｔｉｏｎ  Ｕｐｄａｔｅ手順等のような、現在に通信標準によって定義されるメッセージング構造及び手順に組み込まれ得る。何れの場合でも、ＬＴＥ通信標準の修正は、該手順を容易にし得る。
【００２９】
補償サービスエリアが拡張されるようになる確認を受信した後、省エネルギー通信局１１２は、補償通信局１０８と通信して、現在省エネルギー通信局によってサービスが提供されている全てのＵＥ装置１１６，１１８のためのハンドオーバパラメータを設定する。従って、1番目のＵＥ装置１１６のためのハンドオーバメッセージは通信局１０８と１１２との間に送受信され、ｎ番目のＵＥ装置１１６のためのハンドオーバメッセージ４０８は、通信局１０８と１１２との間に送受信される。上記で説明したように、ＵＥハンドオーバコマンドは、この時間で何れのＵＥ装置にも送られない。
【００３０】
省エネルギー通信局によってサービスが提供される全てのＵＥ装置１１６、１１８のためのハンドオーバパラメータが設定された場合、セル状態変更更新メッセージ４１０は、省エネルギー通信局１１２から補償通信局１０８に送られる。セル状態変更更新メッセージ４１０は、拡張通知の一例であり、補償通信局１０８に、補償サービスエリアが拡張され得ることを示す。セル状態変更更新メッセージ４１０はまた、補償セルの拡張を開始する時刻を決定するように補償通信局を支援するためのタイミング情報を提供する。例えば、セル状態変更更新メッセージ４１０は、ＵＥハンドオーバコマンドがＵＥ装置１１６、１１８に送られようとする時刻を示し得る。一例において、セル状態変更要求４１０は、標準仕様に追加された該特徴のための専用手順の一部である。他の状況において、セル状態変更応答メッセージ４１０の機能は、ＬＴＥ通信標準に含まれるＬｏａｄ  Ｍａｎａｇｅｍｅｎｔ、又は、ｅＮＢ  Ｃｏｎｆｉｇｕｒａｔｉｏｎ  Ｕｐｄａｔｅ手順等のような、現在に通信標準によって定義されるメッセージング構造及び手順に組み込まれ得る。何れの場合でも、ＬＴＥ通信標準の修正は、該手順を容易にし得る。
【００３１】
セル状態変更更新メッセージ４１０の受信に応じて、補償サービスエリアは拡張される。補償通信局は、省エネルギーサービスエリアの少なくとも一部をカバーするように補償サービスエリアを拡張するために、送信電力を増加させ、他の既知の技術を行う。例えば、補償サービスエリアの初期サービスエリア及び省エネルギーサービスエリアの初期のサービスエリアをカバーする補償通信局の拡張したサービスエリアを提供するために、アンテナチルティング及びアンテナビームフォーミング等の技術が使用され得る。複数の省エネルギーサービスエリアが無効化された場合、それらのサービスエリアをカバーするように補償サービスエリアが拡張される。一例では、拡張したカバレッジエリアを設定するためのパラメータは、機器配備時に決定される。例えば、信号品質測定を実行して、該信号測定を用いて、該パラメータは、機器設置時に又は機器設置後に決定され得る。これに応じて、補償通信局は、記憶された値又はＯｐｅｒａｔｉｏｎｓ  ａｎｄ  Ｍａｉｎｔｅｎａｎｃｅ  （ＯＡＭ）システムから受信した値を適用して、無効化された省エネルギーサービスエリアのエリアをカバーするようにサービスエリアを拡張する。
【００３２】
ＵＥハンドオーバコマンド４１２、４１４は、各ＵＥ装置１１６，１１８に送られ、省エネルギーサービスエリア１０８は無効化される。本明細書で説明するように、サービスエリアは、ＵＥ装置に下りリンク信号を送信しないようになり、かつ、ＵＥ装置からの上りリンク信号を受信又は処理しない場合に、「無効化」される。従って、無効化されたサービスエリアは、ＵＥ装置に無線サービスを提供できない。ただし、省エネルギーサービスエリアを提供する通信局は、まだ有効な機能を備えており、オフになっていない。例えば、通信局は、まだ他の通信局及び／又はネットワークと通信できる。
【００３３】
ＵＥハンドオーバコマンドに応じて、各ＵＥ装置１１６，１１８は、無効化した省エネルギーサービスエリア１０６をカバーするように現在補償サービスエリア１０４を拡張した補償通信局１０８へのハンドオーバを完了する。
【００３４】
一部の状況において、通信局構成更新メッセージは、省エネルギーサービスが有効でなくなったことを示し、省エネルギー通信局から他の通信局に送られてもよい。該他の通信局は、省エネルギーサービスエリアの隣接局を少なくとも含み、省エネルギーサービスエリアのステータスに関する情報を要求する他の通信局を含んでもよい。例えば、本機能は、通信局が他の通信局に自身のサービスエリア（セル）の構成変更を通知するために使用する、ＬＴＥ  Ｘ２インターフェースｅＮＢ  Ｃｏｎｆｉｇｕｒａｔｉｏｎ  Ｕｐｄａｔｅメッセージに追加され得る。
【００３５】
また、一部の状況において、補償サービスエリアが拡張したことを示す通信局構成更新メッセージは、補償通信局から他の通信局に送られ得る。該他の通信局は、省エネルギーサービスエリアの隣接局を少なくとも含み、省エネルギーサービスエリアのステータスに関する情報を要求する他の通信局を含んでもよい。例えば、本機能は、通信局が他の通信局に自身のサービスエリアの構成変更を通知するために使用する、ＬＴＥ  Ｘ２インターフェースｅＮＢ  Ｃｏｎｆｉｇｕｒａｔｉｏｎ  Ｕｐｄａｔｅメッセージに追加され得る。
【００３６】
本発明の他の実施形態及び変更例は、これらの教示を参酌して、明らかに、当業者に容易に創作されるであろう。上述の記載は、例示的であり限定的なものではない。本発明は、上記の明細書及び添付の図面に基づく実施形態及び変更例の全てを含む、以下の請求項によってのみ限定される。したがって、本発明の範囲は、上記の記載を参照して決定されるのではなく、均等物の全範囲と共に添付される請求項を参照して決定されるべきである。
【図１】
2016518775.tif 000003
【図２】
2016518775.tif 000004
【図３】
2016518775.tif 000005
【図４】
2016518775.tif 000006
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
複数のユーザ機器（ＵＥ）装置の各ＵＥ装置を省エネルギー通信局から補償通信局にハンドオーバするように、ハンドオーバ手順のためのハンドオーバパラメータを設定し、前記省エネルギー通信局は、省エネルギーサービスエリア内で前記ＵＥ装置に無線サービスを提供し、前記補償通信局は、補償サービスエリア内で無線サービスを提供し、
拡張通知を前記省エネルギー通信局から前記補償通信局に送信し、前記拡張通知は、前記補償サービスエリアの拡張が開始し得ることを前記補償通信局に少なくとも示し、
前記複数のＵＥ装置のために前記ハンドオーバパラメータが既に設定された後に、かつ、前記拡張通知が既に前記補償通信局に送信された後に、ハンドオーバコマンドを前記ＵＥ装置に送信し、
前記省エネルギーサービスエリアを収縮し、
前記補償サービスエリアが前記省エネルギーサービスエリアの地理的領域と少なくとも部分的に重複するように、前記補償サービスエリアを拡張する、方法。
【請求項２】
前記省エネルギーサービスエリアを収縮することは、前記補償通信局の補償セルによって使用される周波数チャンネルを使用する省エネルギーセルを無効化するように、前記省エネルギー通信局を構成することを含み、これによって、前記省エネルギー通信局が、前記省エネルギーセルの前記省エネルギーサービスエリア内で無線通信サービスを提供しない、請求項１の方法。
【請求項３】
前記補償サービスエリアを拡張することは、前記補償サービスエリアが前記省エネルギーサービスエリアの地理的領域と重複するように、前記補償サービスエリアを拡張することを含む、請求項２の方法。
【請求項４】
前記ハンドオーバパラメータを設定することは、前記複数のユーザ機器（ＵＥ）装置の各ＵＥ装置を複数の省エネルギー通信局から前記補償通信局にハンドオーバするように、ハンドオーバパラメータを設定することを含み、前記省エネルギー通信局は、省エネルギーサービスエリア内で前記ＵＥ装置に無線サービスを提供し、
前記省エネルギーサービスエリアを収縮することは、各省エネルギーサービスエリアを無効化することを含み、
前記拡張することは、前記補償サービスエリアが前記複数の省エネルギーサービスエリアの地理的領域と重複するように、前記補償サービスエリアを拡張することを含む、請求項２の方法。
【請求項５】
セル状態変更要求メッセージを前記省エネルギー通信局から前記補償通信局に送信し、前記セル状態変更要求メッセージは、前記補償通信局が拡張されることを要求する、請求項２の方法。
【請求項６】
セル状態変更応答メッセージを前記補償通信局から前記省エネルギー通信局に送信し、前記セル状態変更応答メッセージは、前記セル状態変更要求メッセージの要求が承諾されるか否かを示す、請求項５の方法。
【請求項７】
セル状態変更更新メッセージを前記省エネルギー通信局から前記補償通信局に送信し、前記セル状態変更更新メッセージは、前記拡張通知を含む、請求項２の方法。
【請求項８】
前記拡張通知は、前記補償通信局が前記補償サービスエリアを拡張することを開始できる時刻を示すタイミング情報を含む、請求項７の方法。
【請求項９】
前記補償通信局と前記省エネルギー通信局とを有するネットワークとの接続性を失わずに前記ＵＥ装置が前記補償セルの補償サービスエリアチャンネルと同期するために、前記補償サービスエリアが時間内に拡張されるように前記タイミング情報が選択される、請求項８の方法。
【請求項１０】
省エネルギーサービスエリアを提供する省エネルギー通信局と、
バックホールを介して前記省エネルギー通信局に接続され、補償サービスエリアを提供する補償通信局と、
を有するセルラ通信システムであって、
前記システムは、
複数のユーザ機器（ＵＥ）装置の各ＵＥ装置を省エネルギー通信局から補償通信局にハンドオーバするように、ハンドオーバ手順のためのハンドオーバパラメータを設定し、前記省エネルギー通信局は、省エネルギーサービスエリア内で前記ＵＥ装置に無線サービスを提供し、前記補償通信局は、補償サービスエリア内で無線サービスを提供し、
拡張通知を前記省エネルギー通信局から前記補償通信局に送信し、前記拡張通知は、前記補償サービスエリアが拡張され得ることを前記補償通信局に示し、
前記複数のＵＥ装置のために前記ハンドオーバパラメータが既に設定された後に、かつ、前記拡張通知が既に前記補償通信局に送信された後に、ハンドオーバコマンドを前記ＵＥ装置に送信し、
前記省エネルギーサービスエリアを収縮し、
前記補償サービスエリアが前記省エネルギーサービスエリアの地理的領域と少なくとも部分的に重複するように、前記補償サービスエリアを拡張する
ように構成される、セルラ通信システム。
【請求項１１】
前記システムは、前記補償通信局の補償セルによって使用される周波数チャンネルを使用する省エネルギーセルを無効化するように、前記省エネルギー通信局を構成するように構成され、これによって、前記省エネルギー通信局が、前記省エネルギーセルの前記省エネルギーサービスエリア内で無線通信サービスを提供しない、請求項１０のシステム。
【請求項１２】
前記システムは、前記補償サービスエリアが前記省エネルギーサービスエリアの地理的領域と重複するように、前記補償サービスエリアを拡張するように構成される、請求項１１のシステム。
【請求項１３】
前記システムは、複数の省エネルギーサービスエリアを有し、各省エネルギーサービスエリアが前記複数のＵＥ装置の少なくとも１つのＵＥ装置に無線サービスを提供し、
前記システムは、各省エネルギーサービスエリアを無効化し、前記補償サービスエリアが前記複数の省エネルギーサービスエリアの地理的領域と重複するように、前記補償サービスエリアを拡張するように構成される、請求項１１のシステム。
【請求項１４】
前記システムは、セル状態変更要求メッセージを前記省エネルギー通信局から前記補償通信局に送信するようにさらに構成され、前記セル状態変更要求メッセージは、前記補償通信局が拡張されることを要求する、請求項１１のシステム。
【請求項１５】
前記システムは、セル状態変更応答メッセージを前記補償通信局から前記省エネルギー通信局に送信するようにさらに構成され、前記セル状態変更応答メッセージは、前記セル状態変更要求メッセージの要求が承諾されるか否かを示す、請求項１４のシステム。
【請求項１６】
前記システムは、セル状態変更更新メッセージを前記省エネルギー通信局から前記補償通信局に送信するようにさらに構成され、前記セル状態変更更新メッセージは、前記拡張通知を含む、請求項１１のシステム。
【請求項１７】
前記拡張通知は、前記補償通信局が、前記補償サービスエリアを拡張することを開始できる時刻を示すタイミング情報を含む、請求項１６のシステム。
【請求項１８】
前記ハンドオーバタイミング情報は、前記ハンドオーバコマンドが前記ＵＥ装置に送信されようとする時刻を含む、請求項１１のシステム。
【請求項１９】
前記システムは、Ｔｈｉｒｄ−Ｇｅｎｅｒａｔｉｏｎ  Ｐａｒｔｎｅｒｓｈｉｐ  Ｐｒｏｊｅｃｔ  Ｌｏｎｇ−Ｔｅｒｍ  Ｅｖｏｌｕｔｉｏｎ  （３ＧＰＰ  ＬＴＥ）通信規格に従って動作する、請求項１１のシステム。
【請求項２０】
省エネルギーサービスエリア内で省エネルギーセルを提供する省エネルギー通信局と、
バックホールを介して前記省エネルギー通信局に接続され、補償サービスエリア内で補償セルを提供する補償通信局であって、前記省エネルギーセル及び前記補償セルが少なくとも１つの共通チャンネル周波数を使用して無線サービスを提供する、補償通信局と、を有するセルラ通信システムであって、
前記システムは、
省エネルギー通信局から補償通信局に、複数のユーザ機器（ＵＥ）装置の各ＵＥ装置のためのハンドオーバ準備手順を実行し、前記複数のＵＥ装置は、前記省エネルギーセルから無線サービスを受信し、
拡張通知を前記省エネルギー通信局から前記補償通信局に送信し、前記拡張通知は、前記補償サービスエリアが拡張され得る時刻を前記補償通信局に示し、
前記ハンドオーバ準備手順が前記複数のＵＥ装置のために完了した後に、かつ、前記拡張通知が既に前記補償通信局に送信された後に、ハンドオーバコマンドを前記ＵＥ装置に送信し、
前記省エネルギー通信局が前記省エネルギーセルの前記省エネルギーサービスエリアにおける無線通信サービスを提供しないように、前記省エネルギーサービスエリアを無効化するように前記省エネルギー通信局を構成し、
前記補償サービスエリアが前記省エネルギーサービスエリアと重複するように前記補償セルを拡張する
ように構成される、セルラ通信システム。
【手続補正２】
【補正対象書類名】明細書
【補正対象項目名】００２３
【補正方法】変更
【補正の内容】
【００２３】
遷移手順の第５ステージ２２０において、補償サービスエリア１０４は、以前に省エネルギーサービスエリアによってサービスが提供された地理的エリアの少なくとも一部をカバーするまで拡張され、ＵＥ装置は、ハンドオーバ手順を完了する。補償通信局１０８は、省エネルギー通信局１１２から受信するタイミング情報２２２を適用して補償セルの拡張を開始する時刻を決定する。図２の例において、補償サービスエリア１０４は、以前に省エネルギーサービスエリア１０６によってサービスが提供された地理的エリアの全体をカバーするように拡張される。サービスエリア１０４は、送信電力の増加、アンテナチルティング、アンテナビームフォーミング技術のような既知の技術を使用して拡張され得る。従って、ＵＥ装置１１６、１１８は、ハンドオーバコマンド２１４、２１６に応じて、サービング局ｅＮＢとして補償通信局を取得する。従って、ハンドオーバ手順を完了するために十分なタイミングで、省エネルギーサービスエリアは無効化され、補償サービスエリアは拡張される。補償サービスエリア信号のＵＥ測定結果に基づくものではない点において、該例におけるハンドオーバ手順は従来の技術と異なる。その理由としては、補償サービスエリアが完全に拡張されるまで、これらの信号は適切な電力レベルを有しないからである。
【手続補正３】
【補正対象書類名】明細書
【補正対象項目名】００２９
【補正方法】変更
【補正の内容】
【００２９】
補償サービスエリアが拡張されるようになる確認を受信した後、省エネルギー通信局１１２は、補償通信局１０８と通信して、現在省エネルギー通信局によってサービスが提供されている全てのＵＥ装置１１６，１１８のためのハンドオーバパラメータを設定する。従って、１番目のＵＥ装置１１６のためのハンドオーバメッセージは通信局１０８と１１２との間に送受信され、ｎ番目のＵＥ装置１１８のためのハンドオーバメッセージ４０８は、通信局１０８と１１２との間に送受信される。上記で説明したように、ＵＥハンドオーバコマンドは、この時間で何れのＵＥ装置にも送られない。
【国際調査報告】
2016518775.tif 000007
2016518775.tif 000008